(57)【要約】【課題】押し釦を取り付けた筐体の後方より基板を組み付ける際の部品の損傷を防止する。【解決手段】押し釦２を取り付けた筐体１に回路基板を組み付ける際、押し釦２のガイド溝２０に沿って回路基板４を挿入する。この時、回路基板４で当接部１８を押し、第２のヒンジ部１７を撓ませた状態で回路基板４と当接部１８とを係合する。これにより、回路基板４と押圧部１０とが僅かな隙間をおいて平行し、操作釦部９の押圧操作によって、第１のヒンジ部７が変形して押圧部１０によってスイッチ３がオン・オフされる。【選択図】図６
2007115499.tif 000002
【特許請求の範囲】
【請求項１】
筐体内にスイッチを実装した回路基板をほぼ水平に配置するとともに、前記筐体の前面に押し釦のフレームを固定し、このフレームから第１のヒンジを介して操作釦部を連設し、この操作釦部を前記筐体の前面に形成する挿通孔から外部に突出させ、該操作釦部を押圧操作して該操作釦部の内面側に形成した押圧部で前記スイッチを操作するように構成した押し釦装置であって、前記フレームは、前記筐体前面の内面側に固定するための固定部を備え、前記フレームの内面に前記回路基板と当接可能な当接部を形成するとともに、前記固定部と前記フレームとを弾性変形可能な第２のヒンジ部を介して連設し、この第２のヒンジ部が撓むように弾性変形させた状態で前記当接部と回路基板とを係合させたことを特徴とする押し釦装置。
【請求項２】
前記フレームの背面側に前記当接部を構成するリブを突設し、このリブに形成したガイド溝に前記回路基板を挿入させて前記リブと回路基板とを係合させたことを特徴とする請求項１記載の押し釦装置。
【請求項３】
前記リブと回路基板との係合時に前記フレームと当接して前記第２のヒンジ部の変形を規制するストッパを前記筐体に形成したことを特徴とする請求項２記載の押し釦装置。
【請求項４】
前記フレームは、前記リブと回路基板との当接時に回路基板で押されて前記ストッパと当接するとともに前記リブと前記筐体の底部とが当接することによって、前記押圧部を回路基板とほぼ平行した状態で位置決め保持したことを特徴とする請求項３記載の押し釦装置。
【請求項５】
前記ガイド溝は、前記回路基板を受け入れる挿入側が広く、奥側に向かってテーパ状に形成されていることを特徴とする請求項２〜４の何れか１項に記載の押し釦装置。
【発明の詳細な説明】
【技術分野】
【０００１】
本発明は、テレビジョン受像機や映像再生装置などの電子機器などに用いる押し釦装置、特に押し釦装置を操作する際の押圧方向とスイッチの押圧方向とが直交するように構成した押し釦装置に関する。
【背景技術】
【０００２】
従来、例えばテレビジョン受像機などの筐体の前面には、テレビジョン受像機における各部の処理や制御用として複数のスイッチを操作する押し釦が組み込まれている。このような電子機器に用いる押し釦装置として例えば特許文献１〜３では、筐体前面の内側に押し釦の一端を固定し、その自由端に形成した操作釦部を前記筐体の前面に形成する挿通孔から外部に突出させるとともに、押し釦の内面側にスイッチを押圧する押圧部を突設し、前記操作釦部を操作する際の押圧方向と押圧部によるスイッチの押圧方向とを直交するように構成し、操作釦部の押圧操作により、押圧部でスイッチをオン／オフさせる押し釦装置が開示されている。
【０００３】
【特許文献１】特開２００２−３３４６３２号公報
【特許文献２】特開２００３−１６８３４２号公報
【特許文献３】実用新案登録第３１１００１２号公報
【発明の開示】
【発明が解決しようとする課題】
【０００４】
このような押し釦装置は、合成樹脂などからなる一体成形品にあり、構造が簡単であるとともに、押し釦装置の一端を固定して筐体前面に取り付けられており、組み付け作業性にも優れたものである反面、スイッチを押圧する押圧部とスイッチを実装する回路基板との隙間が狭い場合、押し釦装置の組み付け時などにおいて、押圧部と回路基板とが突き当って押し釦装置又は回路基板が損傷するなどの課題を有している。
【０００５】
本発明は上記課題を鑑みてなされたものであり、回路基板の組み付け時における構成部品の損傷を防止することができる押し釦装置を提供することを目的とする。
【課題を解決するための手段】
【０００６】
請求項１に係る押し釦装置は、筐体内にスイッチを実装した回路基板をほぼ水平に配置するとともに、前記筐体の前面に押し釦のフレームを固定し、このフレームから第１のヒンジを介して操作釦部を連設し、この操作釦部を前記筐体の前面に形成する挿通孔から外部に突出させ、該操作釦部を押圧操作して該操作釦部の内面側に形成した押圧部で前記スイッチを操作するように構成した押し釦装置であって、前記フレームは、前記筐体前面の内面側に固定するための固定部を備え、前記フレームの内面に前記回路基板と当接可能な当接部を形成するとともに、前記固定部と前記フレームとを弾性変形可能な第２のヒンジ部を介して連設し、この第２のヒンジ部が撓むように弾性変形させた状態で前記当接部と回路基板とを係合させたことを特徴とする。
【０００７】
請求項１の構成によれば、押し釦の後方より回路基板を組み付ける際、前記回路基板によって当接部を押すことで第２のヒンジ部が変形するように予め弾性変形させた状態で操作ボタンを形成しており、前記回路基板に配設されたスイッチが押圧部と接触することなく組み付けることができる。
【０００８】
請求項２に係る押し釦装置は、請求項１記載の押し釦装置において、前記フレームの背面側に前記当接部を構成するリブを突設し、このリブに形成したガイド溝に前記回路基板を挿入させて前記リブと回路基板とを係合させたことを特徴とする。
【０００９】
請求項２の構成によれば、押し釦の組み付けに際し、回路基板がリブに形成したガイド溝に挿入され、回路基板とガイド溝によって押し釦に対する回路基板の位置決めが成される。
【００１０】
請求項３に係る押し釦装置は、請求項２記載の押し釦装置において、前記リブと回路基板との係合時に前記フレームと当接して前記第２のヒンジ部の変形を規制するストッパを前記筐体に形成したことを特徴とする。
【００１１】
請求項３によれば、押し釦のフレームとストッパとの当接によって回路基板の組み付けによる押し釦の位置決めが成される。
【００１２】
請求項４に係る押し釦装置は、請求項３記載の押し釦装置において、前記フレームは、前記リブと回路基板との当接時に回路基板で押されて前記ストッパと当接するとともに前記リブと前記筐体の底部とが当接することによって、前記押圧部を回路基板とほぼ平行した状態で位置決め保持したことを特徴とする。
【００１３】
請求項４の構成によれば、リブと回路基板との当接時においてスイッチを押圧する押圧部は、回路基板に対して先端部が上向に傾斜して回路基板と押圧部とが離れており、組付け時に押し釦の押圧部との干渉を抑制でき、組付け後は、押圧部の先端が降下して回路基板に近づいて押圧部と回路基板とが平行し、操作釦部のストロークを必要以上に広く設定する必要がない。
【００１４】
請求項５に係る押し釦装置は、請求項２〜４の何れか１項に記載の押し釦装置において、前記ガイド溝は、前記回路基板を受け入れる挿入側が広く、奥側に向かってテーパ状に形成されていることを特徴とする。
【００１５】
請求項５の構成によれば、押し釦の組み付けに際し、回路基板がリブに形成したガイド溝へと誘い込まれる。
【発明の効果】
【００１６】
請求項１に係る押し釦装置によれば、筐体内にスイッチを実装した回路基板をほぼ水平に配置するとともに、前記筐体の前面に押し釦のフレームを固定し、このフレームから第１のヒンジを介して操作釦部を連設し、この操作釦部を前記筐体の前面に形成する挿通孔から外部に突出させ、該操作釦部を押圧操作して該操作釦部の内面側に形成した押圧部で前記スイッチを操作するように構成した押し釦装置であって、前記フレームは、前記筐体前面の内面側に固定するための固定部を備え、前記フレームの内面に前記回路基板と当接可能な当接部を形成するとともに、前記固定部と前記フレームとを弾性変形可能な第２のヒンジ部を介して連設し、この第２のヒンジ部が撓むように弾性変形させた状態で前記当接部と回路基板とを係合させたことにより、第２のヒンジ部を予め弾性変形させた状態で回路基板に配設されたスイッチが押圧部と接触することなく前記回路基板を組み付けることができる。
【００１７】
請求項２に係る押し釦装置によれば、請求項１記載の押し釦装置において、前記フレームの背面側に前記当接部を構成するリブを突設し、このリブに形成したガイド溝に前記回路基板を挿入させて前記リブと回路基板とを係合させたことにより、押し釦のリブに形成したガイド溝によって回路基板を確実に位置決めすることができる。
【００１８】
請求項３に係る押し釦装置によれば、請求項２記載の押し釦装置において、前記リブと回路基板との係合時に前記フレームと当接して前記第２のヒンジ部の変形を規制するストッパを前記筐体に形成したことにより、回路基板とガイド溝とが弾性的を係合した状態で押し釦を確実に位置決めすることができる。
【００１９】
請求項４に係る押し釦装置によれば、請求項３記載の押し釦装置において、前記フレームは、前記リブと回路基板との当接時に回路基板で押されて前記ストッパと当接するとともに前記リブと前記筐体の底部とが当接することによって、前記押圧部を回路基板とほぼ平行した状態で位置決め保持したことにより、組付け時に押圧部と回路基板との干渉を抑制でき、押し釦又は回路基板の損傷を防止することができるとともに、押し釦を操作する際のストロークを狭く設定することが可能となる。
【００２０】
請求項５に係る押し釦装置によれば、請求項２〜４の何れか１項に記載の押し釦装置において、前記ガイド溝は、前記回路基板を受け入れる挿入側が広く、奥側に向かってテーパ状に形成されていることにより、リブに形成したガイド溝に回路基板を確実に案内することができる。
【発明を実施するための最良の形態】
【００２１】
以下、本発明を実施するための最良の形態としての実施例を図１〜図６を参照して説明する。もちろん、本発明は、その発明の趣旨に反さない範囲で、実施例において説明した以外のものに対しても容易に適用可能なことは説明を要するまでもない。
【００２２】
図１〜図６は、本発明の一実施例を示し、図１は押し釦の斜視図、図２は押し釦の正面図、図３は押し釦の側面図、図４は図２のＡ−Ａ線断面図、図５は図２のＢ−Ｂ線断面図、図６は押し釦の組み付け状態を示す断面図である。同図において符号１は、例えばテレビジョン受像機などの電子機器の筐体であり、この筐体１の前面１ａには、テレビジョン受像機の各部の選択、切り換え操作などを行うために複数の押し釦２が並設されている。筐体１内部には、前記各押し釦２と対応する複数のスイッチ３を実装する回路基板４が筐体１の底部１ｂと平行するように水平に配置されている。
【００２３】
前記押し釦２は合成樹脂から成る一体成形品であり、全体として枠状のフレーム６の前面下部からＬ型に屈曲した薄肉状の第１のヒンジ部７を介して平板状の支持部８を一体に形成している。この支持部８の前面には操作釦部９が突出形成され、支持部８の背面側には前記スイッチ３を押圧操作する押圧部１０が突設されている。なお、本実施例では、支持部８にそれぞれ操作釦部９,９と押圧部１０,１０を有する左右一対の支持部８,８を一体に形成している。また、前記筐体の前面１ａには操作釦部９,９に対応した挿通孔１６,１６が形成され、この挿通孔１６,１６から操作釦部９,９が外部に露出するように突出させ、操作釦部９を押すことによって第１のヒンジ部７を撓ませて押圧部１０によって前記スイッチ３をオン／オフさせるように構成している。
【００２４】
前記フレーム６の上部はねじ１２を挿通する孔部１３を備えた固定部１４が形成され、筐体前面１ａの内面には孔部１３に対応してボス部１５が突設され、孔部１３に挿通したねじ１２をボス部１５に螺着することによって前記操作釦部９を筐体前面１ａに形成する挿通孔１６から外部に突出させた押し釦２が筐体前面１ａの内面に固定される。また、前記フレーム６の固定部１４と支持部８との間には薄肉状の第２のヒンジ部１７が形成され、支持部８の背面側には前記回路基板４と当接可能な当接部１８を形成している。この当接部１８は支持部８の背面から後方に向かって突設したリブ１９によって構成され、このリブ１９に形成したガイド溝２０に前記回路基板４を挿入させることによって、回路基板４によって当接部１８が押され、第２のヒンジ部１７が撓んで固定部１４と支持部８とがほぼ直線状に連続する。すなわち、当接部１８に回路基板４による応力が加わらない状態においては、前記固定部１４に対して支持部８が後方に傾斜した状態で連設され、支持部８の背面から垂直に突設した押圧部１０は、回路基板４に対して先端部が上向に傾斜している。
【００２５】
以上のように構成される本実施例においては、図６（ａ）に示すように筐体前面１ａに形成する挿通孔１６から押し釦２の操作釦部９を挿通するとともに、その押し釦２のフレーム６に形成した孔部１３から筐体前面１ａの内面に形成するボス部１５にねじ１４を螺着することによってフレーム６を筐体前面１ａの内面に固定する。この時、当接部１８であるリブ１９に回路基板４による応力が加わらない状態においては、固定部１４に対して支持部８が後方に傾斜した状態で連設され、支持部８の背面から垂直に突設した押圧部１０は、回路基板４に対して先端部が上向に傾斜している。この後、押し釦２を組み付けた筐体１に回路基板４を組み込むことによって、筐体１に固定した回路基板４がフレーム６の後方に突設したリブ１９に形成するガイド溝２０に誘い込まれる。この後、回路基板４を筐体１側に押し付けることによって、回路基板４によって当接部１８が押され、図６（ｂ）で示すように第２のヒンジ部１７が撓んで固定部１４と支持部８とがほぼ直線状に連続した状態で支持部８が筐体前面１ａのストッパ２２と当接するとともにリブ１９の下端部が筐体１に形成する底壁１ｃに当接する。このように、第２のヒンジ部１７が撓んで固定部１４と支持部８とがほぼ直線状に連続することにより、スイッチ３を実装する回路基板４と押圧部１０とが平行し、かつ、第２のヒンジ部１７の弾性復元力によって回路基板４とガイド溝２０とが弾性的に係合した状態で支持部８が位置決めされる。そして、挿通孔１６から突出する操作釦部９を押すことによって、第１のヒンジ部７が変形して押圧部１０によってスイッチ３がオン・オフされる。なお、操作釦部９を押圧操作する際、操作釦部９は支持部８と固定部１４とが当接することによって、それ以上過剰に押されることはない。
【００２６】
以上のように、本実施例においては、押し釦２を固定した筐体１に回路基板４を組み付ける際、回路基板４によって当接部１８を押して回路基板４と押圧部１０とが平行するように第２のヒンジ部１７を変形させることから、当接部１８であるリブ１９に回路基板４による応力が加わらない状態においては、スイッチ３を押圧する押圧部１０は、回路基板４に対して先端部が上向に傾斜しており、回路基板４と押圧部１０とが離れている。これにより、組付け時に押し釦２のリブ１９と回路基板４との干渉によるリブ１９あるいは回路基板４の損傷を抑制することが可能であるとともに、組付け後は、回路基板４と押圧部１０とが僅かな隙間をおいて平行となるように配置することが可能となり、必要以上に操作釦部９のストロークを広く設定する必要もない。さらに、第２のヒンジ部１７を撓ませた状態で回路基板４と当接部１８のガイド溝２０とが係合しているため、第２のヒンジ部１７の弾性復元力によって回路基板の４のガタツキを抑えることができる。
【００２７】
以上、本発明の実施例について詳述したが、本発明は前記実施例に限定されるものではなく、本発明の要旨の範囲内で種々の変形実施が可能である。例えば、前記実施例においては、テレビジョン受像機を例として説明したが、これに限らず、各種の電子機器にも適用可能である。
【図面の簡単な説明】
【００２８】
【図１】本発明の一実施例を示す押し釦の斜視図である。
【図２】同上、押し釦の正面図である。
【図３】同上、押し釦の側面図である。
【図４】同上、図２のＡ−Ａ線断面図である。
【図５】同上、図２のＢ−Ｂ線断面図である。
【図６】同上、押し釦の組み付け状態を示す断面図であり、図６（ａ）は組付け前、図６（ａ）は組付け後の状態を示している。
【符号の説明】
【００２９】
１    筐体１
１ａ  筐体前面
１ｃ  底部
２    押し釦
３    スイッチ
６    フレーム
７    第１のヒンジ部
８    支持部
９    操作釦部
１０  押圧部
１２  ねじ
１３  孔部
１４  固定部
１５  ボス部
１６  挿通孔
１７  第２のヒンジ部
１８  当接部
１９  リブ
２０  ガイド溝
【図１】
2007115499.tif 000003
【図２】
2007115499.tif 000004
【図３】
2007115499.tif 000005
【図４】
2007115499.tif 000006
【図５】
2007115499.tif 000007
【図６】
2007115499.tif 000008